(57)【要約】  【課題】予測演算処理を用ずともタッチパネルのフィルム間の静電容量に対応して精度の高い座標電圧を求めることができる抵抗膜式タッチパネル装置を提供する。  【解決手段】制御部はＸ駆動部を駆動して抵抗膜が押下された位置の電圧であるＸ座標電圧を求める場合、検出した最新２回（ｔ５，ｔ６）のＸ検出電圧の電位差が予め定めた所定電圧以内となるまで繰り返してＸ検出電圧を検出する。そして、繰り返しに要した時間（ｔ１〜ｔ５）である測定遅延時間をタイマーで計時して記憶部に記憶する。そして、次回にＸ座標電圧、もしくはＹ座標電圧を求める場合、記憶部に記憶した測定遅延時間が経過した後、Ｘ検出電圧、又は、Ｙ検出電圧を検出する。【選択図】図３
2014191516.tif 000002
【特許請求の範囲】
【請求項１】
２枚の抵抗膜を対向させ一方の膜にＸ方向の電圧を印加するＸ駆動部と、他方の膜にＹ方向の電圧を印加するＹ駆動部と、時間を計時する計時部と、前記各駆動部へ駆動信号を出力すると共に、押下された位置の前記抵抗膜のそれぞれの電圧を検出する制御部と、同電圧の検出タイミングを規定する測定遅延時間を記憶した記憶部とを備えた抵抗膜式タッチパネル装置であって、
前記制御部は前記抵抗膜が押下された位置の電圧である座標電圧を求める場合、
前記Ｘ駆動部、又は前記Ｙ駆動部の駆動を開始した後に計時部に計時を開始させ、記憶されている前記測定遅延時間による時間の経過後に２回検出した前記抵抗膜の電圧差が予め定めた所定電圧以上の時、さらに前記抵抗膜の電圧を繰り返して検出し、検出した最新２回における前記電圧差が予め定めた所定電圧未満となった場合、前記計時部で計時した時刻を前記測定遅延時間として前記記憶部に記憶することを特徴とする抵抗膜式タッチパネル装置。
【発明の詳細な説明】
【技術分野】
【０００１】
本発明は、抵抗膜式タッチパネル装置に係わり、より詳細には、タッチパネルのタッチされた位置の座標と対応する電圧の検出方法に関する。
【背景技術】
【０００２】
従来、抵抗膜式タッチパネルによる座標の検出は図５の説明図に示す原理で行なわれている。タッチパネルはフィルムの一面に抵抗膜を形成した第１抵抗膜フィルム（Ｘ座標検出用）７０と第２抵抗膜フィルム（Ｙ座標検出用）８０とを互いの抵抗膜を対向させて配置し、これらの間に図示しないスペーサが備えられている。従ってこれらの間に静電容量が存在する。つまり、タッチパネル自体がコンデンサを形成していることになる。
一方、タッチパネルは指でタッチされることにより、２枚の抵抗膜フィルムの抵抗膜が電気的に接触する構成となっている。また、第１抵抗膜フィルム７０の左右には抵抗膜７１に接続された電極７２と電極７３とが対向して、また、第２抵抗膜フィルム８０の上下には抵抗膜８１に接続された電極８２と電極８３とが対向して、それぞれ備えられている。
【０００３】
Ｘ座標を検出する場合、電極７２と電極７３との間に直流電源９０の電圧を印加する。ここで、タッチされた押圧点９２では直流電源９０の電圧が分圧されており、この分圧された電圧を第２抵抗膜フィルム８０の抵抗膜８１を介して電圧計９１で測定し、この測定電圧（Ｘ座標電圧）をＸ座標に換算する。なお、Ｙ座標を検出する場合、上記とは逆に第２抵抗膜フィルム８０の電極８２と電極８３との間に直流電源９０の電圧を印加し、分圧された電圧（Ｙ座標電圧）を第１抵抗膜フィルム７０の抵抗膜を介して検出してＹ座標に換算する。
【０００４】
図６は従来の方式によるＸ座標電圧の検出動作を説明する説明図である。図６（１）は人によるタッチパネルの押下状態を、図６（２）はフィルム間の静電容量が小さい場合のＸ座標用抵抗膜フィルムでの電圧であるＸ検出電圧を、図６（３）はフィルム間の静電容量が大きい場合のＸ座標用抵抗膜フィルムでの電圧であるＸ検出電圧を、図６（４）はＸ座標用抵抗膜フィルムでの電圧を推測する場合のＸ検出電圧を、それぞれ示している。なお、ｔ０〜ｔ４の時間は予め定めた時間である。
【０００５】
図６（１）において、タッチパネルは未押下から押下となっている。図６（２）において、タッチパネルが押下された状態でＸ座標用抵抗膜フィルムにｔ０のタイミングで直流電圧が印加されると、フィルム間のコンデンサに電荷が急激にチャージされて印加された電圧までＸ検出電圧が上昇し、その後フィルム間のコンデンサにチャージされた電荷が放電されるに従ってＸ検出電圧が低下する。低下した電圧が一定になれば、Ｘ座標用抵抗膜フィルムに印加された電圧がタッチパネルの押下により分圧された電圧を示すことになる。従って、ｔ０において押下電圧閾値以上の電圧があればタッチパネルが押下されたことになる。一方、ｔ４で低下したＸ検出電圧が一定になった場合にＸ座標電圧を示すことになる。
【０００６】
ところが、フィルム間の静電容量は度重なる操作や経年変化により徐々に容量が増加する傾向にあり、図６（３）に示すようにフィルム間のコンデンサにチャージされた電荷が放電されるまで時間がかかるため、ｔ０から所定時間待機し、ｔ４でＸ検出電圧を検出しても検出誤差が発生して正確なＸ座標電圧が測定できなくなる問題があった。また、この所定時間を長くすると、座標電圧を検出するまでの時間が長くなり、フィルム間の静電容量が小さいものであってもタッチパネルの反応が遅くなってしまう問題があった。
このようなフィルム間の静電容量のバラツキは経年変化だけでなく、個々のタッチパネルの製造過程においても発生する。個別のタッチパネルでの静電容量のバラツキに対処するため、個々のタッチパネルに対するソフトウェアでの対応や、タッチパネルの静電容量による選別対応が考えられるが、このような対処では手間がかかったり、高価になる問題がある。
【０００７】
そこで、どのような静電容量のタッチパネルであっても対応するため、図６（４）に示すように、ｔ０でタッチパネルの押下を確認した後、ｔ１〜ｔ３の一定間隔のタイミングで３回だけＸ座標の電圧であるＶ１〜Ｖ３を測定し、この３つの電圧の減少傾向から、最終的に一定となる電圧を推測する方法が提案されている（例えば、特許文献１参照。）。
【０００８】
図７は座標検出電圧の推測原理を説明する説明図である。図７の縦軸はＸ座標の電圧を、横軸は時間をそれぞれ示している。図７に示すように、フィルム間に蓄積された電荷が時間の経過とともに放電することにより、分圧された電圧は一定の曲線状に低下するため、ｔ１からｔ２、ｔ２からｔ３と対応するＶ１〜Ｖ２、Ｖ２〜Ｖ３の電圧変化から分圧された電圧が一定となる予測電圧Ｖｘを求める予測演算処理を実行し、この予測電圧ＶｘをＸ座標電圧とする。この方法であれば所定時間内にＸ座標電圧を求めることができる。
【０００９】
しかしながら、正確に予測するためにはサンプリング回数を増やして予測演算処理を所定時間内に実行しなければならないため、処理能力が高いＣＰＵが必要であり、タッチパネル装置が高価になるという問題があった。
【先行技術文献】
【特許文献】
【００１０】
【特許文献１】特開平１１−２４８４３号公報（第４頁、図１）
【発明の概要】
【発明が解決しようとする課題】
【００１１】
本発明は以上述べた問題点を解決し、予測演算処理を用いずともタッチパネルのフィルム間の静電容量の変化に対応して常に精度の高い座標電圧を求めることができる抵抗膜式タッチパネル装置を提供することを目的とする。
【課題を解決するための手段】
【００１２】
本発明は上述の課題を解決するため、本発明の請求項１に記載の発明は、２枚の抵抗膜を対向させ一方の膜にＸ方向の電圧を印加するＸ駆動部と、他方の膜にＹ方向の電圧を印加するＹ駆動部と、時間を計時する計時部と、前記各駆動部へ駆動信号を出力すると共に、押下された位置の前記抵抗膜のそれぞれの電圧を検出する制御部と、同電圧の検出タイミングを規定する測定遅延時間を記憶した記憶部とを備えた抵抗膜式タッチパネル装置であって、
前記制御部は前記抵抗膜が押下された位置の電圧である座標電圧を求める場合、
前記Ｘ駆動部、又は前記Ｙ駆動部の駆動を開始した後に計時部に計時を開始させ、記憶されている前記測定遅延時間による時間の経過後に２回検出した前記抵抗膜の電圧差が予め定めた所定電圧以上の時、さらに前記抵抗膜の電圧を繰り返して検出し、検出した最新２回における前記電圧差が予め定めた所定電圧未満となった場合、前記計時部で計時した時刻を前記測定遅延時間として前記記憶部に記憶することを特徴とする。
【発明の効果】
【００１３】
以上の手段を用いることにより、本発明による抵抗膜式タッチパネル装置によれば、
請求項１に係わる発明は、座標電圧を求める場合、記憶部に記憶した測定遅延時間が経過した後、抵抗膜の電圧差が予め定めた所定電圧以内となるまで繰り返し検出する構成のため、タッチパネルの静電容量が増加した場合であっても、この静電容量による座標電圧の検出誤りを低減させ、予測演算処理を用いずとも常に精度の高い座標電圧を求めることができる。
【図面の簡単な説明】
【００１４】
【図１】本発明による抵抗膜式タッチパネル装置の実施例を示すブロック図である。
【図２】本発明による抵抗膜式タッチパネル装置のフィルム間の静電容量が小さい場合の動作を説明する説明図である。
【図３】本発明による抵抗膜式タッチパネル装置のフィルム間の静電容量が大きい場合の動作を説明する説明図である。
【図４】本発明による抵抗膜式タッチパネル装置の動作を説明するフローチャートである。
【図５】タッチパネルの原理を説明する説明図である。
【図６】従来のＸ座標電圧の検出動作を説明する説明図である。
【図７】Ｘ座標電圧の推測原理を説明する説明図である。
【発明を実施するための形態】
【００１５】
以下、本発明の実施の形態を、添付図面に基づいた実施例として詳細に説明する。
【実施例１】
【００１６】
図１は本発明による抵抗膜式タッチパネル装置の実施例を示すブロック図である。
このタッチパネル装置は、タッチパネル７と、Ｘ駆動部１と、Ｙ駆動部２と、Ａ／Ｄ変換部３と、Ａ／Ｄ変換部４と、記憶部６と、計時部であるタイマー８と、これらを制御する制御部５とを備えている。
【００１７】
タッチパネルはフィルムの一面に抵抗膜（約６００オーム）を形成した第１抵抗膜フィルム（Ｘ座標検出用）７０と第２抵抗膜フィルム（Ｙ座標検出用）８０とを互いの抵抗膜を対向させて配置し、これらの間に図示しないスペーサが備えられている。従ってこれらの間に最小で約１．５ピコファラッドの静電容量が存在する。つまり、タッチパネル自体がコンデンサを形成していることになる。なお、この静電容量は経時変化などにより５ピコファラッド程度まで増加する場合がある。
【００１８】
一方、タッチパネルは指でタッチされることにより、２枚の抵抗膜フィルムの抵抗膜が電気的に接触する構成となっている。また、第１抵抗膜フィルム７０の左右には抵抗膜７１に接続された電極７２と電極７３とが対向して、また、第２抵抗膜フィルム８０の上下には抵抗膜８１に接続された電極８２と電極８３とが対向して、それぞれ備えられている。
【００１９】
Ｘ駆動部１は、その内部にスイッチ１ａとスイッチ１ｂと１メグオームの抵抗１ｃとを備えている。スイッチ１ａの一方の端子には＋３ボルトの電源が接続され、スイッチ１ａの他方の端子は第１抵抗膜フィルム７０の電極７３に、また、電極７２はＡ／Ｄ変換部３の入力側とスイッチ１ｂの一方の端子にそれぞれ接続されている。なお、スイッチ１ｂの他方の端子はグランドに接続され、さらにスイッチ１ｂの端子間には抵抗１ｃが接続されている。そしてＡ／Ｄ変換部３の出力側は制御部５に接続され、制御部５からはスイッチ１ａとスイッチ１ｂとの開閉を行なうＸ駆動信号がＸ駆動部１へ出力されている。なお、Ａ／Ｄ変換部３の入力側の電圧をＹ検出電圧と呼称する。
【００２０】
Ｙ駆動部２は、その内部にスイッチ２ａとスイッチ２ｂと１メグオームの抵抗２ｃとを備えている。スイッチ２ａの一方の端子には＋３ボルトの電源が接続され、スイッチ２ａの他方の端子は第２抵抗膜フィルム８０の電極８２に、また、電極８３はＡ／Ｄ変換部４の入力側とスイッチ２ｂの一方の端子にそれぞれ接続されている。なお、スイッチ２ｂの他方の端子はグランドに接続され、さらにスイッチ２ｂの端子間には抵抗２ｃが接続されている。そしてＡ／Ｄ変換部４の出力側は制御部５に接続され、制御部５からはスイッチ２ａとスイッチ２ｂとの開閉を行なうＹ駆動信号がＹ駆動部２へ出力されている。なお、Ａ／Ｄ変換部４の入力側の電圧をＸ検出電圧と呼称する。
【００２１】
制御部５は予め決められた周期でタッチパネルの押下を監視しており、タッチパネル７が押下されたか否かを確認する場合、全てのスイッチが開の状態からスイッチ１ａのみ閉とする。タッチパネル７が押下されていない場合、抵抗膜８１に電圧が発生しないため、抵抗２ｃでグランドに接続されていることにより抵抗膜８１の電圧であるＸ検出電圧はほぼゼロボルトとなり、この電圧がＡ／Ｄ変換部４を介して制御部５で認識される。
一方、タッチパネル７が押下された場合、第１抵抗膜フィルム７０の抵抗値に対して抵抗２ｃの値が非常に大きいため、抵抗膜８１にほぼ３ボルトの電圧が発生し、この電圧がＡ／Ｄ変換部４を介して制御部５で認識される。従って制御部５はＡ／Ｄ変換部４から出力されるＸ検出電圧値を監視することでタッチパネル７が押下されたか否かを確認できる。そして、制御部５はこのタッチパネル７の押下監視のタイミング毎に前述したように、スイッチ１ａの閉状態におけるＸ検出電圧の検出を実行してタッチパネルの押下監視を繰り返し実行する。
【００２２】
制御部５は、タッチパネル７の押下を確認した場合、次にスイッチ１ｂを閉にし、この時のＸ検出電圧値を検出する。この場合、第１抵抗膜フィルム７０の対向する電極７２の間で分圧された電圧が抵抗膜８１に印加されることになるため、制御部５は入力されたＸ検出電圧値から換算してＸ座標を求めることができる。その後、スイッチ１ａとスイッチ１ｂとを開にし、スイッチ２ａとスイッチ２ｂとを閉にすることで、前述のように、今度はＡ／Ｄ変換部３を介して入力されたＹ電圧値からＹ座標を求めることができる。
【００２３】
図２は本発明による抵抗膜式タッチパネル装置の動作を説明する説明図であり、タッチパネル７のフィルム間の静電容量が小さい場合を説明するものである。なお前提条件として全てのスイッチは開状態であるとする。
図２（１）はタッチパネル７の押下状態を、図２（２）はスイッチ１ａの開閉状態を、図２（３）はスイッチ１ｂの開閉状態を、図２（４）はスイッチ２ａの開閉状態を、図２（５）はスイッチ２ｂの開閉状態を、図２（６）はＸ検出電圧を、図２（７）はＹ検出電圧を、それぞれ示している。なお、図２の横軸は時間であり、ｔ０〜ｔ７は時刻である。
【００２４】
図２（２）に示すように制御部５は予め決められた周期でタッチパネルの押下を確認するため、スイッチ１ａを検出周期に従って開閉状態とし、スイッチ１ａが閉状態の時にＸ検出電圧を検出する。具体的には図２（６）に示すように、スイッチ１ａを閉にした時刻をｔ０とした場合、ｔ０から５マイクロセカンド後のｔ１にＸ検出電圧、ここでは３．０ボルトを検出する。この電圧はタッチパネル７が押下されたか否かを判定する押下電圧閾値（２．８ボルト）以上であるため、タッチパネル７が押下されたと判断する。そして、図２（３）に示すように、ｔ１から５マイクロセカンド後のｔ２でスイッチ１ｂを閉にする。
【００２５】
一方、制御部５はｔ１の時点で記憶部６に記憶されている測定遅延時間値、ここでは１０マイクロセカンドを読み出し、この値の時間だけ経過した後、ｔ３でＸ検出電圧（１．７ボルト）を検出する。なお、測定遅延時間値は予め記憶された値であるが、後述する条件の時に値が更新される。このため、制御部５はｔ１からの経過時間をタイマー８で計時している。
【００２６】
制御部５は固定された時間である検知間隔時間（５マイクロセカンド）がｔ３から経過したｔ４で再度、Ｘ検出電圧（１．６ボルト）を検出する。そして、ｔ３とｔ４とで検出した電圧の差が所定値（０．１ボルト）以内であるため、制御部５はタッチパネル７のコンデンサの電荷がほとんど放電されてＸ検出電圧が安定したと判断する。そして、制御部５はｔ４で検出したＸ検出電圧（１．６ボルト）をＸ座標電圧値として記憶部６に記憶する。
【００２７】
制御部５はｔ４でＸ検出電圧を検出した後、スイッチ１ａとスイッチ１ｂとを共に開とし、スイッチ２ａとスイッチ２ｂとを閉とする。そして、これらのスイッチ制御から測定遅延時間だけ経過したｔ５でＹ検出電圧（２．０ボルト）を検出し、検出した電圧をＹ座標電圧値として記憶部６に記憶する。なお、ｔ２で静電容量の放電が開始され、ｔ４で放電が終了しているため、この間の時間は測定遅延時間からｔ１〜ｔ２の時間を減算し、この結果にｔ３〜ｔ４の時間を加算することで求められる。一方、ｔ１〜ｔ２もｔ３〜ｔ４も共に５マイクロセカンドであるため、Ｙ検出電圧を求める場合は、結果的に第２抵抗膜フィルム８０に電圧を印加してから、つまり、スイッチ２ａとスイッチ２ｂとを閉としてから測定遅延時間が経過したｔ５でＹ検出電圧を検出することで精度の高いＹ座標電圧を求めることができる。
そして、制御部５は記憶しているＸ座標電圧値とＹ座標電圧値とをそれぞれ座標の値に換算してＸ座標とＹ座標とを算出する。この換算方法は周知の技術であり、例えばＸ座標を０〜３００とした場合、これに対応するＸ座標の電圧値０〜３．０ボルトの割合によってＸ座標を算出する。なお、Ｙ座標も同様に算出する。
【００２８】
図２（２）に示すように、次の検出周期の先頭で制御部５は前述したｔ０のタイミングと同様にｔ６でスイッチ１ａを閉とし、この５マイクロセカンド後のｔ７でタッチパネル７の押下の有無を検出する。この時、図２（１）に示すようにすでにタッチパネル７の押下が無い場合、抵抗膜７１に印加された電圧がタッチパネル７のコンデンサに充電され、この充電によってＸ検出電圧が変化する。この電圧変化はコンデンサに充電される過渡的な電圧の変化であるため、図２（６）に示すようにコンデンサへの充電が完了するとすぐに電圧が低下する。制御部５は、ｔ７の時点で検出したＸ検出電圧（０．８ボルト）が押下電圧閾値（２．８ボルト）以下であるためタッチパネル７は押下されていないと判断する。
【００２９】
図３は本発明による抵抗膜式タッチパネル装置の動作を説明する説明図であり、タッチパネル７のフィルム間の静電容量が経年変化により大きくなった場合を説明するものである。なお前提条件として全てのスイッチは開状態であるとする。
図３（１）はタッチパネル７の押下状態を、図３（２）はスイッチ１ａの開閉状態を、図３（３）はスイッチ１ｂの開閉状態を、図３（４）はスイッチ２ａの開閉状態を、図３（５）はスイッチ２ｂの開閉状態を、図３（６）はＸ検出電圧を、図３（７）はＹ検出電圧を、それぞれ示している。なお、図３の横軸は時間であり、ｔ０〜ｔ８は時刻である。
【００３０】
基本的な動作は図２で説明しているので、ここではタッチパネル７のフィルム間の静電容量が増加した場合の動作を中心に説明する。
制御部５はｔ１でタッチパネル７の押下を確認すると記憶部６に記憶していた測定遅延時間（１０マイクロセカンド）を読み出す。そしてこの測定遅延時間が経過したｔ３のタイミングでＸ検出電圧（２．０ボルト）を検出する。そして、検知間隔時間（５マイクロセカンド）が経過した後に再度、ｔ４のタイミングでＸ検出電圧（１．８ボルト）を検出する。
【００３１】
そして前述したように、制御部５はｔ３とｔ４とで検出したＸ検出電圧の差（０．２ボルト）が所定値（０．１ボルト）以上であるため、タッチパネル７のフィルム間の電荷は放電途中であると判断する。このため、制御部５はｔ４から検知間隔時間経過後のｔ５で再度、Ｘ検出電圧（１．６ボルト）を検出する。
【００３２】
制御部５は最新の２つの検出電圧であるｔ４のＸ検出電圧（１．８ボルト）とｔ５のＸ検出電圧（１．６ボルト）の検出電圧の差（０．２ボルト）が所定値（０．１ボルト）以上であるため、タッチパネル７のフィルム間の電荷はまだ、放電途中であると判断する。  このため、制御部５はｔ５から検知間隔時間経過後のｔ６で再度、Ｘ検出電圧（１．６ボルト）を検出する。ｔ５とｔ６とで検出したＸ検出電圧（１．６ボルト）の検出電圧の差（０．０ボルト）が所定値（０．１ボルト）未満であるため、制御部５はタッチパネル７のフィルム間の電荷の放電が終了したと判断する。
【００３３】
従って制御部５はｔ６で検出したＸ検出電圧（１．６ボルト）をＸ座標電圧値として記憶部６へ記憶する。一方、制御部５は前述したようにｔ１からの経過時間をタイマー８で計時している。そして、タッチパネル７のフィルム間の電荷の放電が終了したと判断したｔ６の１つ前のタイミングであるｔ５とタイマー８で計時を開始したｔ１との間の時間を測定遅延時間として記憶部６へ記憶する。具体的にはｔ１〜ｔ６のまで計時時間から検知間隔時間（５マイクロセカンド）を差し引いた２０マイクロセカンドを測定遅延時間としている。
【００３４】
図３の例は図２の例に比較して２回分（１０マイクロセカンド）の検知間隔時間だけＸ検出電圧の確定に時間がかかっており、制御部５はＸ検出電圧の繰り返し検出が完了するまでスイッチ１ａとスイッチ１ｂとを閉状態のままとする。一方、Ｘ座標電圧値を記憶した後の制御は図２の場合と同じであり、制御部５はｔ６でＸ検出電圧を検出した後、スイッチ１ａとスイッチ１ｂとを共に開とし、同時にスイッチ２ａとスイッチ２ｂとを閉とする。
【００３５】
そして、制御部５は記憶部６に記憶している測定遅延時間（２０マイクロセカンド）を読み出し、これらのスイッチ制御から測定遅延時間だけ経過したｔ７でＹ電圧（２．０ボルト）を検出し、検出した電圧をＹ座標電圧値として記憶部６に記憶する。そして、制御部５は記憶しているＸ座標電圧値とＹ座標電圧値とをそれぞれ座標の値に換算してＸ座標とＹ座標とを算出する。
【００３６】
以上説明したように、Ｘ又はＹ座標電圧を求める場合、記憶部６に記憶した測定遅延時間が経過した後、Ｘ又はＹの抵抗膜の電圧の電圧差が所定電圧以内となるまで繰り返し検出する構成のため、タッチパネル７の静電容量が増加した場合であっても、この静電容量による座標電圧の検出誤りを低減させ、予測演算処理を用いずとも精度の高い座標電圧を求めることができる。
【００３７】
次に図４のフローチャートを用いて制御部５の動作を説明する。また、図４において、ＳＴはステップを表し、これに続く数字はステップ番号を示す。また、図４中の『Ｙ』はＹｅｓを、『Ｎ』はＮｏをそれぞれ示している。なお前提条件として全てのスイッチは開状態である。
【００３８】
制御部５はまず最初にタッチパネル押下の検出タイミングであるか確認する（ＳＴ１）。この実施例では１ミリセカンド毎に確認を行なう。タッチパネル押下の検出タイミングでなければ（ＳＴ１−Ｎ）、ＳＴ１へジャンプする。
【００３９】
タッチパネル押下の検出タイミングであれば（ＳＴ１−Ｙ）、スイッチ１ａを閉にして５マイクロセカンド待機する（ＳＴ２）。そして、Ｘ検出電圧を検知する（ＳＴ３）。次に検知したＸ検出電圧の値が予め定められた押下電圧閾値よりも小さいか確認する（ＳＴ４）。検知したＸ検出電圧の値が予め定められた押下電圧閾値よりも小さい場合（ＳＴ４−Ｙ）、タッチパネル７の押下がないため、スイッチ１ａを開にし（ＳＴ５）、その後ＳＴ１へジャンプする。
【００４０】
一方、検知したＸ検出電圧の値が予め定められた押下電圧閾値よりも小さくない場合（ＳＴ４−Ｎ）、制御部５はタイマー８を用いて時間の計時を開始する（ＳＴ６）。そして、５マイクロセカンド待機した後、スイッチ１ｂを閉にする（ＳＴ７）。次に記憶部６に記憶している測定遅延時間と計時時間とが等しくなった時、Ｘ検出電圧を検知する（ＳＴ８）。
【００４１】
次に検知間隔時間だけ待機し、Ｘ検出電圧を検知する（ＳＴ９）。そして、前回と今回のＸ検出電圧の電圧差が予め定めた所定値より小さいか確認する（ＳＴ１０）。前回と今回のＸ検出電圧の電圧差が予め定めた所定値より小さくない場合（ＳＴ１０−Ｎ）、タッチパネル７のフィルム間の電荷はまだ、放電途中であるため、ＳＴ９へジャンプする。
【００４２】
前回と今回のＸ検出電圧の電圧差が予め定めた所定値より小さい場合（ＳＴ１０−Ｙ）、現在の計時時間から検知間隔時間を減算した結果を測定遅延時間して記憶部６へ記憶する（ＳＴ１１）。ただし、１回目と２回目のＸ検出電圧の電圧差が所定値よりも小さい場合は測定遅延時間の記憶を実行しない。もしくは、算出した測定遅延時間よりも記憶されている測定遅延時間が大きい場合は測定遅延時間の記憶を実行しないようにしてもよい。
次にスイッチ１ａとスイッチ１ｂとを開にし、スイッチ２ａとスイッチ２ｂとを閉にする（ＳＴ１２）。
【００４３】
そして、記憶部６に記憶した測定遅延時間だけ待機した後にＹ検出電圧を検知し、スイッチ１ａとスイッチ１ｂとスイッチ２ａとスイッチ２ｂとを開にする（ＳＴ１３）。そして検知した最新のＸ検出電圧とＹ検出電圧とをそれぞれＸ座標とＹ座標とに変換して算出する（ＳＴ１４）。そしてＳＴ１へジャンプする。
【００４４】
なお、本実施例ではＹ検出電圧の検出タイミングをスイッチ２ａとスイッチ２ｂとを閉にしてから測定遅延時間だけ遅延させているが、これに限るものでなく、Ｘ座標用のＸ検出電圧を求めた時と同じ手法を用いて、Ｙ検出電圧を複数回検出して最新の２つのＹ検出電圧の電圧差が所定値以内となるまで繰り返し検知してからＹ座標用のＹ検出電圧を求めるようにしてもよい。
【００４５】
また、本実施例ではタッチパネル押下を検出する場合、スイッチ１ａを閉としてから固定時間（５マイクロセカンド）経過後にＸ検出電圧を検出しているが、これに限るものでなく、測定遅延時間と対応させて遅延させるようにしてもよい。これにより、タッチパネルの静電容量が大きい場合に検出タイミングを遅らせることができ、誤ってタッチパネル未押下を押下と誤認識することを低減させることができる。
【符号の説明】
【００４６】
１  Ｘ駆動部
１ａ  スイッチ
１ｂ  スイッチ
１ｃ  抵抗
２  Ｙ駆動部
２ａ  スイッチ
２ｂ  スイッチ
２ｃ  抵抗
３  Ａ／Ｄ変換部
４  Ａ／Ｄ変換部
５  制御部
６  記憶部
７  タッチパネル
８  タイマー（計時部）
７０  抵抗膜フィルム
７１  抵抗膜
７２  電極
７３  電極
８０  抵抗膜フィルム
８１  抵抗膜
８２  電極
８３  電極
【図１】
2014191516.tif 000003
【図２】
2014191516.tif 000004
【図３】
2014191516.tif 000005
【図４】
2014191516.tif 000006
【図５】
2014191516.tif 000007
【図６】
2014191516.tif 000008
【図７】
2014191516.tif 000009